(57)【要約】【課題】カメラモジュールに関し、イメージセンサを搭載した配線基板へのレンズホルダーの取り付けが簡単で、レンズとイメージセンサとの位置決めが容易かつ精密であり、光軸の傾きが防止でき、イメージセンサの中心にレンズの光軸が一致させられる構造の提供。【解決手段】カメラモジュールにおいて、そのレンズホルダーは、上面にレンズを保持する貫通孔を有し底面がイメージセンサを収納する開口部を備えており、開口部の内側壁面に配線基板の垂直方向の位置を規制するための配線基板縁辺を支持する爪と、開口部内に配線基板の水平方向の位置決めをするための部材とを備えている。【選択図】　図１
2004032141.tif 000002
【特許請求の範囲】
【請求項１】
イメージセンサと画像情報の処理回路を搭載した配線基板にカメラレンズを保持したレンズホルダーを取り付けてなるカメラモジュールにおいて、該レンズホルダーは、上面にレンズを保持する貫通孔を有し底面がイメージセンサを収納する開口部を備えており、該開口部は内側壁面に該配線基板の垂直方向の位置を規制するための該配線基板縁辺を支持する爪と、該開口部内における該配線基板の水平方向の位置決め用部材とを備えていることを特徴とするカメラモジュール。
【請求項２】
該開口部の内側壁面に設けた該配線基板の縁辺を支持する爪が、該開口部の天井に形成した該配線基板の当接面との間で該配線基板を保持することを特徴とする請求項１のカメラモジュール。
【請求項３】
該開口部の内側壁面に設けた該配線基板の縁辺を支持する爪が、テーパーを有する突起である請求項１のカメラモジュール。
【請求項４】
該配線基板の位置決め用部材が該配線基板に形成した孔に挿通される該開口部の天井から下方に突出したガイドピンである請求項１のカメラモジュール。
【請求項５】
該配線基板の位置決め用部材が該配線基板の側面に形成した溝に嵌合する該開口部の内側壁面に設けた突起である請求項１のカメラモジュール。
【発明の詳細な説明】
【０００１】
【発明の属する技術分野】
本発明は、デジタルカメラ、携帯電話機または各種の監視装置等に使用されるカメラモジュールに関するものであり、詳しくはカメラのレンズとイメージセンサの受光面との正確な位置合わせを容易に行うことができる構造を持ったカメラモジュールにかかるものである。
【０００２】
【従来の技術】
カメラモジュールは、レンズと配線基板に取り付けられたイメージセンサの受光面とが、レンズの光軸がイメージセンサの中心に正確に位置決めされるように組み立てられる必要がある。
従来のカメラモジュールのレンズホルダーと配線基板の取り付けは、ねじ止めや接着剤による固定が行われていた。しかし、ねじ止めは基板の取り付け工程が多くなり、イメージセンサの取り付けが容易でなかった。また、接着剤の場合は位置の精度が十分に得られず、取り付け後に調整をしなければならない場合が多くあった。
【０００３】
【発明が解決しようとする課題】
本発明は、上述の従来のカメラモジュールにおける課題を解決しようとするものである。
本発明は、レンズホルダーが配線基板に簡単な作業で装着でき、しかもレンズとイメージセンサとの位置決めが正確であり、光軸の傾きが防止できるものを提供しようとするものである。
【０００４】
本発明のカメラモジュールの構造によれば、組み立てが簡単で、配線基板が傾かずイメージセンサが水平になり、イメージセンサの中心にレンズの光軸が一致する。小形化されたカメラモジュールの組み立てが実現しやすい。などの利点がある。
【０００５】
【課題を解決するための手段】
本発明のカメラモジュールは、イメージセンサと画像情報の処理回路を搭載した配線基板にカメラレンズを保持したレンズホルダーを取り付けてなるカメラモジュールにおいて、そのレンズホルダーは、上面にレンズを保持する貫通孔を有し底面がイメージセンサを収納する開口部を備えており、開口部の内側壁面に配線基板の垂直方向の位置を規制するための配線基板縁辺を支持する爪と、開口部内に配線基板の水平方向の位置決めをするための部材とを備えていることを特徴とするものである。
【０００６】
【発明の実施の形態】
本発明の実施の形態としては次のようなものがある。
開口部の内側壁面に設けた配線基板の縁辺を支持する爪が、開口部の天井に形成したその配線基板の当接面との間で配線基板を保持するものである。
その開口部の内側壁面に設けた該配線基板の縁辺を支持する爪は、テーパーを有する突起として形成されるものである。
また、配線基板の位置決め用部材が、開口部の天井から下方に突出したガイドピンであって、配線基板に形成した孔に挿通されるものである。
さらに、配線基板の位置決め用部材は、配線基板の側面に形成した溝に嵌合する開口部の内側壁面に設けた突起である。
【０００７】
【実施例】
本発明の１実施例を図１乃至図３を参照して説明する。
本発明にかかるカメラモジュールは、図１Ａに示すようなカメラレンズを保持したレンズホルダーが、図１Ｂに示すようなイメージセンサと画像情報の処理回路を搭載した配線基板に取り付けられてなるものである。
【０００８】
図１Ａに示すように、レンズホルダー１は、上面にレンズ２を保持する貫通孔３を有し、その底面がイメージセンサを収納する開口部４を備えている。
図１Ｂに示すように、配線基板６は、表面にはレンズの光軸に一致して中心を位置するようにイメージセンサ１０が取り付けられる。表面の端にはコネクタ１１が取り付けられる。配線基板の裏面にはイメージセンサに取り込まれた画像情報の処理回路などが形成されている。
【０００９】
開口部４は内側壁面５に配線基板の垂直方向の位置を規制するための爪８を備え、これによって、開口部の天井に形成した該配線基板の当接面９との間で配線基板６を保持する。爪８は配線基板の縁辺７を支持し配線基板を固定する。
配線基板の縁辺を支持する爪８は、図３に示すように開口部の内側壁面に設けたテーパーを有する突起であり、テーパーの斜面で公差を吸収し配線基板を確実に保持することができる。突起のテーパーは押し込む方向に向かってゆるやかな傾斜で隆起し、突起の頂きを超えると急峻に落ち込むように形成されている。爪は少なくとも３カ所に配置して設けられる。
【００１０】
また、開口部４内には、配線基板の水平方向の位置決め用部材を備えている。
配線基板の位置決め用部材は、１実施例では開口部の天井から下方に突出したガイドピン１２である。ガイドピン１２は配線基板に形成した位置決め用の貫通孔１３に挿通され配線基板の精密な位置決めがなされる。ガイドピンと貫通孔はそれぞれ４カ所に設けられている。
【００１１】
配線基板の貫通孔１３にガイドピン１２を挿通し、レンズホルダー１の底面から配線基板６を押し込むことにより、ガイドピンに沿って配線基板が押し込まれ水平方向の位置決めがなされるとともに、爪８の頂を超えて配線基板が天井の当接面９に当たると垂直方向の位置決めがなされる。したがって組み立ては一動作で行うことができる。
図２はレンズホルダーを底面から見た図面である。
【００１２】
本発明の他の実施例では、図４に示すように配線基板の位置決め用部材が配線基板の側面に形成した溝４３に嵌合する開口部の内側壁面に設けた突条４２である。
【００１３】
この場合も、配線基板４６の側面に溝４３を形成し、その溝４３に嵌着する突条４２を開口部の内側壁面に形成し、レンズホルダー４１の底面から配線基板を押し込むことにより、その突条４２に沿って配線基板が押し込まれ水平方向の位置決めがなされるとともに、爪４８の頂を超えて配線基板が天井の当接面に当たると爪４８により垂直方向の位置決めがなされる。したがって組み立ては一動作で行うことができる。なお、図４では配線基板の裏面の回路は図示を省略してある。
【００１４】
図５に示すように、レンズホルダーの１側面は、配線基板が外に出されるように壁の一部が取り除かれている。これにより壁面の弾性が大きくなり、レンズホルダーへの配線基板の取り付けや取り外しにおいて作業を容易にできる。
【００１５】
【発明の効果】
本発明によれば、レンズホルダーが配線基板に簡単な作業で装着でき、しかもレンズとイメージセンサとの位置決めが容易であり、光軸の傾きが防止できる。
すなわち、カメラモジュールの組み立てが簡単で、配線基板が傾かずイメージセンサが水平になり、イメージセンサの中心にレンズの光軸が一致する。小形化されたカメラモジュールの組み立てが実現しやすい。などの利点がある。
【図面の簡単な説明】
【図１】本発明のカメラモジュールの分解側面図で、Ａはカメラホルダーの側断面図、Ｂは配線基板の側面図である。
【図２】第１図のカメラホルダーを底面から見た平面図
【図３】本発明実施例における配線基板の保持状態の説明図
【図４】本発明の他の実施例における配線基板の保持状態の説明図
【図５】本発明におけるカメラホルダー実施例の斜視図
【符号の説明】
１、４１　　レンズホルダー
６、４６　　配線基板
８、４８　　爪
９　　　　当接面
１２　　　　ガイドピン
１３　　　　孔
４２　　　　突条
４３　　　　溝
【図１】
2004032141.tif 000003
【図２】
2004032141.tif 000004
【図３】
2004032141.tif 000005
【図４】
2004032141.tif 000006
【図５】
2004032141.tif 000007